(57)【要約】本発明は、少なくとも２つのアンダーカットを有する盲穴（２６）を有するドアリーフ（１）と、それぞれがドア側および壁側ヒンジ部（４，５）からなる、少なくとも２つのヒンジ（３）とを備えるアセンブリに関する。ドア側および／または壁側ヒンジ部を締着するために、末端側拡張エレメント（２２）と、保持係止エレメント（２３）とを有する拡張プラグ（２０）を設ける。更に、拡張エレメントを拡張し、ヒンジを拡張プラグに締着する役目を果たす拡張／締着手段（２１）を設ける。拡張／締着手段は、ネジボルト（２６）とナット（２８）、または、ネジ（３１）を収容する孔を有する取付部（３０）を備える。該ネジによって取付部は拡張プラグと螺合する。更に本発明は、１つ以上の側面壁と、１つ以上の上記のタイプのアセンブリとを有するシャワー室に関する。
2005528940.tif 000002
【特許請求の範囲】
【請求項１】
少なくとも２つのアンダーカットを有する盲穴（２６）を有するドアリーフ（１）と、
各々が、縦長孔（８，９）をそれぞれ有するドア側および壁側ヒンジ部（４，５）を備える、少なくとも２つのヒンジ（３）と、
ヒンジ部に差し込む少なくとも２つのヒンジピン（１２）と、
各々が末端側拡張エレメント（２２）および基部側保持当接エレメント（２３）を有する、少なくとも２つの拡張プラグ（２０）と、
拡張プラグを拡張する拡張手段（２１）およびヒンジをドアリーフに締着する締着手段（２１）とを備えるアセンブリ。
【請求項２】
拡張プラグ（２０）の拡張エレメント（２２）は、内ネジを備える拡張フック（２５）を有するボディ形状であることを特徴とする、請求項１に記載のアセンブリ。
【請求項３】
拡張プラグ（２０）の基部側保持当接エレメント（２３）は、ネジ頭が多角形状であることを特徴とする、請求項１または２に記載のアセンブリ。
【請求項４】
拡張／締着手段（２０）は、ねじ込みピン（４５）およびナット（２８）を有することを特徴とする、請求項１乃至３に記載のアセンブリ。
【請求項５】
ねじ込みピン（４５）は多角ソケットを有することを特徴とする、請求項４に記載のアセンブリ。
【請求項６】
ヒンジ部（４）は挿通孔（１９）、好ましくはスロット孔を有することを特徴とする、請求項１乃至５に記載のアセンブリ。
【請求項７】
拡張／締着手段（２０）は、ドアリーフ（３０）に固定でき、シャンク（３３）と頭部（３４）とを有するネジ（３１）を受容する孔（３２）を備える組立部（３０）を有し、前記ネジ（３１）によって、組立部を拡張プラグ（２０）に螺合できることを特徴とする、
請求項１乃至３に記載のアセンブリ。
【請求項８】
組立部（３０）の孔（３２）は偏心孔であることを特徴とする、請求項７に記載のアセンブリ。
【請求項９】
ネジ（３１）の頭部（３４）および組立部（３０）の孔（３２）はテーパ状であることを特徴とする、請求項７または８に記載のアセンブリ。
【請求項１０】
組立部（３０）を受容する盲穴（３７）をヒンジ部（５）に設けることを特徴とする、請求項７乃至９に記載のアセンブリ。
【請求項１１】
ヒンジ部の穴（３７）にねじ込むことのできる締付けネジ（３８）によって、組立部（３０）をヒンジ部（５）に固定できることを特徴とする、請求項１０に記載のアセンブリ。
【請求項１２】
ヒンジピン（１０）は円周凸部（１２）を有することを特徴とする、請求項１乃至１１に記載のアセンブリ。
【請求項１３】
ドアリーフ（１）は、鉱物素材またはプラスチック素材からなることを特徴とする、請求項１乃至１２に記載のアセンブリ。
【請求項１４】
１つ以上の側壁と、１つ以上の、請求項１乃至１３のうちのいずれか一つに記載のアセンブリとを有するシャワー室。
【発明の詳細な説明】
【技術分野】
【０００１】
本発明はドアリーフおよび少なくとも２つのヒンジを備えるアセンブリに関する。更に本発明は、１つ以上の壁エレメントおよび１つ以上の上記のようなアセンブリを有するシャワー室に関する。
【背景技術】
【０００２】
周知のシャワー室においては、通常プレハブコンポーネントを現場で組立てる。周知のシャワー室のコンポーネントキットは、１つ以上の壁エレメントおよび１つ以上のドアリーフを含み、ドアリーフは２つのヒンジで壁エレメントに締着されるようになっている。
シャワー室のコンポーネントの組立に用いる様々な設計の取付具が数多く知られている。当該取付具は、強固な構造を実現するだけでなく、容易に取付けられなければならない。また、取付具で接続されているコンポーネントは、可能なかぎり平面を維持していなければならない。これは外観の点から重要なだけでなく、コンポーネントの清掃も容易にする。特にガラス壁上に凸部があると、煩わしさを感ずることになる。  
ドイツ公開実用新案ＤＥ２９９２３３４７Ｕ１（特許文献１）で周知のアセンブリは、ドアリーフとヒンジとを備え、ヒンジは保持エレメントおよびバリアによってドアリーフに締着される。このためドアリーフは、保持エレメントおよびネジが挿通して延在する挿通孔を有する。この挿通孔がドアリーフ表面の障害となり、上記のような不都合が生じる。
【０００３】
【特許文献１】ドイツ公開実用新案ＤＥ２９９２３３４７Ｕ１
【発明の開示】
【発明が解決しようとする課題】
【０００４】
本発明の目的は、組立が簡単で、凸部を有することなく構造を強固にできる、ドアリーフおよびヒンジを備えるアセンブリを提供することである。本発明の更なる目的は、１つ以上の壁エレメントおよび１つ以上の上記のようなアセンブリを有するシャワー室を提供することである。
【課題を解決するための手段】
【０００５】
当該目的は、請求項１および１４で明記される特徴によって達成される。
【発明を実施するための最良の形態】
【０００６】
本発明に係るアセンブリは、少なくとも２つのヒンジを有するドアリーフと、ヒンジをドアリーフに締着する更なるエレメントとを備える。各ヒンジは、ドア側部と壁側部と２つのヒンジ部に差し込まれるヒンジピンとを有する。
【０００７】
ヒンジの締着エレメントは、末端側拡張エレメントおよび基部側保持当接エレメントを有する拡張プラグを備える。接続技術は、ドアリーフのアンダーカットを有する盲穴に拡張プラグを差し込むことに基づいている。挿通孔が必要ないので、ドアリーフの内面は平坦なままである。
【０００８】
また締着エレメントは拡張／締着手段を備え、それによって拡張プラグの拡張エレメントを拡張する一方、ヒンジをドアシートに締着する。
【０００９】
周知のドリル穿孔工程によって、様々な材質で作られたドアリーフに、アンダーカットを有する盲穴を形成する。ドアリーフは、鉱物質素材またはプラスチック素材からなることが好ましい。接続技術の特筆すべき点は、ガラス製のドアリーフで特に効果を発揮することである。
【００１０】
拡張プラグの基部側保持当接エレメントは、拡張／締着手段を定位置に確実に締着するためだけでなく、拡張部プラグの取付具の役目も果たす。保持当接エレメントは、ネジ頭が多角形状であることが好ましい。しかしながら、基本的には他の形状でも可能である。
【００１１】
拡張プラグの拡張エレメントは、内ネジを備えた拡張フックを有するスリーブ形状であることが好ましい。拡張プラグを定位置に確実に固定するために、少なくとも２つ、好ましくは３つ、もしくはそれ以上の拡張フックを備えるものとする。一旦、拡張エレメントが拡張すれば、張力が盲穴の支持面上に均等に分散する。
【００１２】
好ましい実施の形態では、拡張／締着手段はねじ込みピンおよびナットを有し、便宜上ねじ込みピンは多角ソケットを有する。このように、周知の多角キーを用い、内ネジを備えた拡張プラグのスリーブにねじ込みピンを容易に螺合できる。その結果、拡張フックは互いに離間させられる。本実施形態では、ヒンジがねじ込みピンの挿入孔を有する。挿通孔をスロット穴とすることで、ヒンジ部を互いに厳密に一列に配置できる利点がある。
【００１３】
代替の実施形態の特質すべきは、ヒンジに挿通孔が要らない点である。この結果、外側から見えてしまうかもしれない、ドアリーフ上のねじ込みピンの横長孔も不要となる。本実施の形態では、拡張／締着手段は組立部を有する。ドアリーフに固定される組立部は、ネジを受容する孔を有し、ネジによって組立部と拡張プラグを螺合させる。組立部はヒンジ部の盲穴に挿入される。組立部は、ドアリーフの縦長孔に螺合する締付けネジによって、ドアリーフの盲穴に固定されることが好ましい。
【００１４】
特に好ましい形態では、ネジを受容する組立部の孔が偏心しているが、これによって、ドアリーフに対するヒンジ部の位置決めを正確に行なうことができる。組立部を回転させるだけで、ドアリーフ上でのヒンジ部の位置を精確に調整できる。
【００１５】
ネジ頭および組立部の孔をテーパ状にすれば、正確なヒンジ部の位置合わせが可能である。
【００１６】
本発明に係るアセンブリを用いて、１つ以上のドアリーフおよび壁エレメントを有するシャワー室を組立てることができる。この組立の際、例えば、ドアリーフを少なくとも２つのヒンジで１つの壁エレメントだけに締着してもよく、他の２つの側面仕切りを部屋の壁で構成する。しかしながら、シャワー室は、例えば２つの壁エレメントおよび１つのドアリーフを組立てたものでもよい。これだけに限らず、シャワー室は２つのドアリーフを備えてもよい。
本発明における幾つかの実施の形態を、図面を参照して以下に詳細に述べる。
【００１７】
図１は、ドアリーフ１および壁エレメント２の一部とともに、ヒンジ３およびヒンジの締着エレメントを示す。壁エレメントおよびドアリーフは長方形のガラス板である。ドアリーフは２つのヒンジで壁エレメントにヒンジ結合されている。図１では上側ヒンジだけを示す。上側および下側ヒンジ、ならびにそれらの締着エレメントは、それぞれ同一である。
【００１８】
図１で示す実施の形態を用いて、２つの異なる接続技術を説明する。しかしながら実際には、どのような場合においても通常、両方の技術のうちのいずれか一方だけを用いる。
【００１９】
ヒンジはドア側ヒンジ部４および壁側ヒンジ部５を有する。２つのヒンジ部４、５は、ドアリーフ１および壁エレメント２にそれぞれ支えられる平面状の内面４ａ、５ａと、半円形の外面４ｂ、５ｂと、平面状の上面４ｃ、５ｃおよび下面４ｄ、５ｄとをそれぞれ有する。
【００２０】
中央に位置する長辺側で、ヒンジ部４、５は、ヒンジピン１０に対し、円筒状の縦長孔８、９をそれぞれ設けた上側および下側収容部６、７を有する。ヒンジピン１０は、両端部間に円周凸部１２を有する円筒状金属ピン１１である。ヒンジピン１０の円周凸部１１は、収容部６、７の円筒状凹部１２、１３に確実に嵌合した状態で挿入される。円筒状凹部１２、１３は、収容部６、７の縦長孔８、９の円周リムで形成される。いずれの場合でも、金属ピンは一続きとなった孔を通って収容部内に延在する。収容部６、７の縦長孔８、９は、円筒孔１６、１７を有する各プラグ１４、１５で塞がれる。ヒンジピン１０を形成する金属ピン１１は円筒孔を貫通して延在する。
【００２１】
原則として、２つのヒンジ部４、５は同一である。しかしながら、好ましい実施の形態では、ドア側ヒンジ部４は、回動しないよう、縦方向に延びるストップ部材１８を有する。これによってドア側ヒンジ部４はドアリーフの長辺を支える。
【００２２】
ドア側ヒンジ部４に採用する接続技術について以下で詳述する。その際、壁側ヒンジ部５にも同様の接続技術を採用してもよい。この接続技術は、ヒンジ部４に横長孔１９を設けることを前提とする。ドア側ヒンジ部４をドアリーフ１に締着する接続エレメントは、拡張プラグ２０および拡張／締着手段２１を備える。拡張プラグ２０は、末端側拡張エレメント２２および基部側保持当接エレメント２３を有する。
【００２３】
末端側拡張エレメント２２は内ネジを備えるスリーブである。スリーブは長手方向にスロットを設け、３つの凸状拡張フック２５を形成する。基部側保持当接エレメント２３は、ネジ頭が多角形状である。
【００２４】
拡張プラグは、ドアリーフ１のアンダーカットを有する盲穴２６内で定位置に強固に固定される。周知の盲穴２６形成方法は、一作業一工具に則り、円筒穴を作り、それをテーパ状にアンダーカットする。
【００２５】
拡張／締着手段２１は、両端部間に円周凸部２７を有するねじ込みピン４５と、必要に応じてワッシャ４４を有するナット２８とを備える。外側に向いているねじ込みピン４５の端部は、多角ソケット２９を備え、好ましくは六角キーを受容する。
【００２６】
ドア側ヒンジ部４は、以下のようにドアリーフ１に嵌合する。最初に、拡張プラグ２０の拡張エレメント２２が、アンダーカットを有する盲穴２６に挿入される。次にねじ込みピン４５を、六角キーを用いて拡張エレメント２２に螺合させる。その結果、拡張部材の拡張フック２５が拡張する。そこで、ねじ込みピンはドアリーフに強固に固定された状態となる。次に、ヒンジ部４をねじ込みピン４５に強固に螺合させる。  
【００２７】
壁側ヒンジ部５における代替の接続技術を以下に述べる。この接続技術はドア側ヒンジ部４にも採用でき、従って、２つのヒンジ部およびそれらの締着エレメントはそれぞれ同一である。互いに対応する部品には同一の符号を付した。
【００２８】
代替の接続技術にも、同一の拡張プラグ２０を採用する。これは壁エレメント２のアンダーカットを有する盲穴２６内で強固に固定される。しかしながら、壁側ヒンジ部５は横長孔を必要としない。これも、接続エレメントがヒンジ部の外面５ｄから見えない理由の１つである。
【００２９】
代替の実施の形態では、拡張／締結手段２１が、組立部３０と組立部を拡張プラグ２０に螺合させるネジ３１とを備える。組立部３０は偏心孔３２を有し、ネジ３１のシャンク３３を受容する。ネジ３１の頭部３４および組立部３０の孔３２はテーパ状である。組立部３０はその周りに円周溝３５を有する。また壁エレメント２近傍の端面には凹部３６を有し、回転しないよう拡張プラグ２０の多角ネジ頭２３を受容する。
【００３０】
壁側ヒンジ部５の内面５ａに円筒状の盲穴３７が設けられ、組立部３０を確実に嵌合させて挿入できる。組立部３０を盲穴３７に固定するために、締付けネジ３８を用いて壁側ヒンジ部５の上面５ｃの縦長孔３９にねじ込む。縦長孔３９は、締付けネジ３８が組立部３０の円周溝３５まで達するように設ける。
【００３１】
壁側ヒンジ部が回転しないよう、追加ピン４０を設け、組立部３０の盲穴３７より下側にある嵌合盲穴４１にその一方を挿入し、他方を対応するスリーブ４２に挿入する。対応スリーブは、フロアエレメント２上の拡張プラグ２０の盲穴２６より下側にある嵌合盲穴４３に挿入される。しかしながら、回転しないようにするため、追加ピンの代わりに、ドア側ヒンジ部４にある縦方向に延在するストップ部材１８を、壁側ヒンジ部５に設けることもできる。
【００３２】
壁側ヒンジ部５は、以下のように壁エレメント２に嵌合する。一旦、拡張プラグ２０をアンダーカットを有する盲穴２６内に固定すると、組立部３０は拡張プラグ２０の多角ネジ頭２３と嵌合し、ネジ３１が拡張プラグ２０に螺合される。次に、壁側ヒンジ部５の盲穴３７に組立部３０を挿入し、締付けネジ３８をヒンジ部にねじ込む。このようにして、組立部はヒンジ部に強固に固定される。
【００３３】
ドアリーフを壁エレメントにヒンジ結合する第２のヒンジは、第１のヒンジと同一であるため、更なる説明および図示を不要とする。この場合も同様に、異なる接続技術を採用した結果生じるあらゆる変形例も実施できる。しかしながら、非常に重量のあるドアリーフを用いる場合は、ヒンジを３つ以上設けてもよい。
【図面の簡単な説明】
【００３４】
【図１】壁エレメントおよびドアリーフの一部とともに、ヒンジおよび必要な締着エレメントを示す図
【図２】ヒンジの分解拡大図であり、図１の矢印ＩＩ方向から見た締着エレメントを示す図
【図３】ドアリーフおよびドアリーフ側ヒンジ部の拡大断面図
【図４】壁エレメントおよび壁側ヒンジ部の拡大断面図
【図１】
2005528940.tif 000003
【図２】
2005528940.tif 000004
【図３】
2005528940.tif 000005
【図４】
2005528940.tif 000006
【手続補正書】
【提出日】平成16年10月28日(2004.10.28)
【手続補正１】
【補正対象書類名】明細書
【補正対象項目名】特許請求の範囲
【補正方法】変更
【補正の内容】
【特許請求の範囲】
【請求項１】  
ドアリーフ（１）と、各々が、縦長孔（８，９）をそれぞれ有するドア側および壁側ヒンジ部（４，５）を備える、少なくとも２つのヒンジ（３）と、ヒンジ部に差し込む少なくとも２つのヒンジピン（１２）とからなるアセンブリであって、
該ドアリーフが少なくとも２つのアンダーカットを有する盲穴（２６）を有し、
該アセンブリが、各々が末端側拡張エレメント（２２）および基部保持当接エレメント（２３）を有する、少なくとも２つの拡張プラグ（２０）と拡張プラグを拡張する拡張手段（２１）とを備え、かつ、ヒンジをドアリーフに締着する締着手段（２１）を備えることを特徴とするアセンブリ。
【請求項２】
拡張プラグ（２０）の拡張エレメント（２２）は、内ネジを備える拡張フック（２５）を有するボディ形状であることを特徴とする、請求項１に記載のアセンブリ。
【請求項３】
拡張プラグ（２０）の基部側保持当接エレメント（２３）は、ネジ頭が多角形状であることを特徴とする、請求項１または２に記載のアセンブリ。
【請求項４】
拡張／締着手段（２０）は、ねじ込みピン（４５）およびナット（２８）を有することを特徴とする、請求項１乃至３に記載のアセンブリ。
【請求項５】
ねじ込みピン（４５）は多角ソケットを有することを特徴とする、請求項４に記載のアセンブリ。
【請求項６】
ヒンジ部（４）は挿通孔（１９）、好ましくはスロット孔を有することを特徴とする、請求項１乃至５に記載のアセンブリ。
【請求項７】
拡張／締着手段（２０）は、ドアリーフ（３０）に固定でき、シャンク（３３）と頭部（３４）とを有するネジ（３１）を受容する孔（３２）を備える組立部（３０）を有し、前記ネジ（３１）によって、組立部を拡張プラグ（２０）に螺合できることを特徴とする、
請求項１乃至３に記載のアセンブリ。
【請求項８】
組立部（３０）の孔（３２）は偏心孔であることを特徴とする、請求項７に記載のアセンブリ。
【請求項９】
ネジ（３１）の頭部（３４）および組立部（３０）の孔（３２）はテーパ状であることを特徴とする、請求項７または８に記載のアセンブリ。
【請求項１０】
組立部（３０）を受容する盲穴（３７）をヒンジ部（５）に設けることを特徴とする、請求項７乃至９に記載のアセンブリ。
【請求項１１】
ヒンジ部の穴（３７）にねじ込むことのできる締付けネジ（３８）によって、組立部（３０）をヒンジ部（５）に固定できることを特徴とする、請求項１０に記載のアセンブリ。
【請求項１２】
ヒンジピン（１０）は円周凸部（１２）を有することを特徴とする、請求項１乃至１１に記載のアセンブリ。
【請求項１３】
ドアリーフ（１）は、鉱物素材またはプラスチック素材からなることを特徴とする、請求項１乃至１２に記載のアセンブリ。
【請求項１４】
１つ以上の側壁と、１つ以上の、請求項１乃至１３のうちのいずれか一つに記載のアセンブリとを有するシャワー室。
【手続補正２】
【補正対象書類名】明細書
【補正対象項目名】０００２
【補正方法】変更
【補正の内容】
【０００２】
周知のシャワー室においては、通常プレハブコンポーネントを現場で組立てる。周知のシャワー室のコンポーネントキットは、１つ以上の壁エレメントおよび１つ以上のドアリーフを含み、ドアリーフは２つのヒンジで壁エレメントに締着されるようになっている。
シャワー室のコンポーネントの組立に用いる様々な設計の取付具が数多く知られている。当該取付具は、強固な構造を実現するだけでなく、容易に取付けられなければならない。また、取付具で接続されているコンポーネントは、可能なかぎり平面を維持していなければならない。これは外観の点から重要なだけでなく、コンポーネントの清掃も容易にする。特にガラス壁上に凸部があると、煩わしさを感ずることになる。  
ドイツ公開実用新案ＤＥ２９９２３３４７Ｕ１（特許文献１）で周知のアセンブリは、ドアリーフとヒンジとを備え、ヒンジは保持エレメントおよびバリアによってドアリーフに締着される。このためドアリーフは、保持エレメントおよびネジが挿通して延在する挿通孔を有する。この挿通孔がドアリーフ表面の障害となり、上記のような不都合が生じる。
アメリカ合衆国特許ＵＳ５７１８５４７（特許文献２）で周知の締着手段は、実質的に盲穴に挿通し得る拡張エレメントからなる。一旦拡張エレメントが拡張すると、締着手段が盲穴の所定位置に締着固定される。締着手段に挿通し得るピンにより拡張部材が拡張される。
【手続補正３】
【補正対象書類名】明細書
【補正対象項目名】０００３
【補正方法】変更
【補正の内容】
【０００３】
【特許文献１】ドイツ公開実用新案ＤＥ２９９２３３４７Ｕ１
【特許文献２】アメリカ合衆国特許ＵＳ５７１８５４７
【手続補正書】
【提出日】平成17年4月15日(2005.4.15)
【手続補正１】
【補正対象書類名】明細書
【補正対象項目名】００２０
【補正方法】変更
【補正の内容】
【００２０】
中央に位置する長辺側で、ヒンジ部４、５は、ヒンジピン１０に対し、円筒状の縦長孔８、９をそれぞれ設けた上側および下側収容部６、７を有する。ヒンジピン１０は、両端部間に円周凸部１２を有する円筒状金属ピン１１である。ヒンジピン１０の円周凸部１１は、収容部６、７の円筒状凹部１２ａ、１３に確実に嵌合した状態で挿入される。円筒状凹部１２ａ、１３は、収容部６、７の縦長孔８、９の円周リムで形成される。いずれの場合でも、金属ピンは一続きとなった孔を通って収容部内に延在する。収容部６、７の縦長孔８、９は、円筒孔１６、１７を有する各プラグ１４、１５で塞がれる。ヒンジピン１０を形成する金属ピン１１は円筒孔を貫通して延在する。
【手続補正２】
【補正対象書類名】明細書
【補正対象項目名】図面
【補正方法】変更
【補正の内容】
【図面】
【図１】
2005528940.tif 000007
【図２】
2005528940.tif 000008
【図３】
2005528940.tif 000009
【図４】
2005528940.tif 000010
【国際調査報告】
2005528940.tif 000011
2005528940.tif 000012
2005528940.tif 000013
2005528940.tif 000014